(57)【要約】【課題】市販の持ち手付き袋（いわゆる、レジ袋）を防塵袋として利用可能な防塵袋用ホルダーおよび粉塵飛散防止具を提供する。【解決手段】防塵袋用ホルダー１は中空円筒状の本体と、この本体の外周軸方向中央部に形成された環状の係止用溝と、本体の底部から径方向外側に突出する突出部４とを有する。レジ袋１０の１対の持ち手部分を環状の係止用溝に引っ掛け、持ち手部分の間に形成された空間から、レジ袋１０内に義歯やモータを持った手を挿入し、袋内で技工作業を行うことができる。【選択図】図５
2018011670.tif 000002
【特許請求の範囲】
【請求項１】
中空円筒状の本体と、該本体の外周軸方向中央部に形成された環状の係止用溝と、前記本体の底部から径方向外側に突出する突出部とを有することを特徴とする防塵袋用ホルダー。
【請求項２】
前記本体と前記突出部が、軽量樹脂、スポンジまたは発泡性組成物からなることを特徴とする請求項１に記載の防塵袋用ホルダー。
【請求項３】
中空円筒状の本体と、該本体の一方の端部である頂部には、前記本体よりも径の大きな大径部を有するリング状の第１部材が設けられ、前記本体の他方の端部である底部には、前記本体よりも径の大きな大径部を有するリング状部と該リング状部から径方向外側に突出した突出部とを有する第２部材が設けられていることを特徴とする防塵袋用ホルダー。
【請求項４】
前記防塵袋用ホルダーは前記突出部を２つ有し、２つの該突出部のなす角度が略１２０°であることを特徴とする請求項１から３のいずれか１に記載の防塵袋用ホルダー。
【請求項５】
前記本体の中空円筒の内部または前記防塵袋用ホルダーの端面に透明フィルムまたは透明板が設けられていることを特徴とする請求項１から４のいずれか１に記載の防塵袋用ホルダー。
【請求項６】
前記本体の中空円筒の内部または前記防塵袋用ホルダーの端面にレンズが設けられていることを特徴とする請求項１から４のいずれか１に記載の防塵袋用ホルダー。
【請求項７】
請求項１から６のいずれか１に記載の防塵袋用ホルダーにレジ袋を装着したことを特徴とする粉塵飛散防止具。
【発明の詳細な説明】
【技術分野】
【０００１】
本発明は防塵袋用ホルダーに関し、詳しくは、歯科技工において発生する粉塵の飛散を防止する袋を装着保持可能なホルダーおよび粉塵飛散防止具に関する。
【背景技術】
【０００２】
差し歯や入れ歯の調整を行う場合、通常は、歯科技工士が一方の手に切削工具を持ち、もう一方の手に差し歯や入れ歯用の被切削物を持った状態で、切削加工することにより調整を行うことになる。そして、この切削作業に際しては、粉塵が発生するため、作業を行う者や周囲にいる者がその粉塵を吸い込むことを防止するために、一般にはマスクや眼鏡を着用したり、例えば、特許文献１に開示されたような粉塵の飛散防止器を用いて行っている。
【０００３】
特許文献１に開示された粉塵の飛散防止器は、透明なプラスチックの円筒容器とバキューム管とを有しており、患者宅に往診し，部屋内に粉塵が拡散するのを防止することができるとされている。
【先行技術文献】
【特許文献】
【０００４】
【特許文献１】実開平６−７７７０６号公報
【発明の概要】
【発明が解決しようとする課題】
【０００５】
特許文献１に開示された粉塵の飛散防止器は、透明なプラスチックの円筒容器内にモータや義歯を持った手を入れて技工し、切削屑や粉塵の等の飛散を防ぐものであるが、容器内に切削屑や粉塵が残っていると感染症の虞があるため、他の患者の差し歯や義歯に対して使用する場合は、清掃・洗浄を行う必要がある。このため、往診時に複数人数の患者の義歯の調整を行う場合は、連続して使用することができなかった。また、往診時に、患者数に合わせた台数を持ち運ぶことは、費用や労力の点で困難であった。
【０００６】
このため、組立可能で使い捨てタイプの飛散防止用のボックスが市販されているが、使い捨てであるため、コストがかかるとともに、専用品のため、訪問先に持っていくのを失念した時や、在庫切れを起こした場合は、入手しにくいことが懸念される。
【０００７】
本発明は、これらの実情に鑑みてなされたものであり、市販の持ち手付き袋（いわゆる、レジ袋）を防塵袋として利用可能な防塵袋用ホルダーおよび粉塵飛散防止具を提供することを、その目的とする。
【課題を解決するための手段】
【０００８】
上記課題を解決するために、請求項１の発明は、防塵袋用ホルダーであって、中空円筒状の本体と、該本体の外周軸方向中央部に形成された環状の係止用溝と、前記本体の底部から径方向外側に突出する突出部とを有することを特徴とするものである。
【０００９】
請求項２の発明は、請求項１の発明において、前記本体と前記突出部が、軽量樹脂、スポンジまたは発泡性組成物からなることを特徴とするものである。
【００１０】
請求項３の発明は、防塵用ホルダーであって、中空円筒状の本体と、該本体の一方の端部である頂部には、前記本体よりも径の大きな大径部を有するリング状の第１部材が設けられ、前記本体の他方の端部である底部には、前記本体よりも径の大きな大径部を有するリング状部と該リング状部から径方向外側に突出した突出部とを有する第２部材が設けられていることを特徴とするものである。
【００１１】
請求項４の発明は、請求項１から３のいずれか１の発明において、前記防塵袋用ホルダーは前記突出部を２つ有し、２つの該突出部のなす角度が略１２０°であることを特徴とするものである。
【００１２】
請求項５の発明は、請求項１から４のいずれか１の発明において、前記本体の中空円筒の内部または頂部に透明フィルムまたは透明板が設けられていることを特徴とするものである。
【００１３】
請求項６の発明は、請求項１から４のいずれか１の発明において、前記本体の中空円筒の内部または頂部にレンズが設けられていることを特徴とするものである。
【００１４】
請求項７の発明は、粉塵飛散防止具であって、請求項１から６のいずれか１の防塵袋用ホルダーにレジ袋を装着したことを特徴とするものである。
【発明の効果】
【００１５】
本発明によれば、市販の持ち手付き袋（レジ袋）を防塵袋として利用可能である。このため、低コストで使い捨てすることができ、患者ごとにレジ袋を交換すれば、袋内に切削粉が残らないため衛生的である。また、レジ袋は、スーパーやコンビニ等で購入することができるため、訪問先に持っていくのを忘れた時も入手しやすく、在庫切れの心配もない。
【図面の簡単な説明】
【００１６】
【図１】本発明の一実施形態に係る防塵袋用ホルダーの構成を示す図である。
【図２】図１の防塵袋用ホルダーの斜め鳥瞰図である。
【図３】レジ袋を説明するための図である。
【図４】図１の防塵袋用ホルダーに図３のレジ袋を装着した、本発明の一実施形態に係る粉塵飛散防止具の図である。
【図５】図１の防塵袋用ホルダーに図３のレジ袋を装着した、本発明の一実施形態に係る粉塵飛散防止具の図である。
【図６】本発明の他の実施形態に係る防塵袋用ホルダーの構成を示す図である。
【図７】本発明のさらに他の実施形態に係る防塵袋用ホルダーの構成を示す図である。
【図８】本発明のさらに他の実施形態に係る防塵袋用ホルダーの構成を示す図である。
【発明を実施するための形態】
【００１７】
以下、図面を参照しながら、本発明の防塵袋用ホルダーおよび粉塵飛散防止具に係る好適な実施の形態について説明する。以下の説明において、異なる図面においても同じ符号を付した構成は同様のものであるとして、その説明を省略する場合がある。
【００１８】
(第１の実施形態)
図１は、本発明の一実施形態に係る防塵袋用ホルダーの構成を示す図であり、図１（Ａ）は防塵袋用ホルダーを上から見た図、図１（Ｂ）は図１（Ａ）のＢ−Ｂ断面図、図１（Ｃ）は図１（Ａ）のＣ−Ｃ断面図である。また、図２は、図１の防塵袋用ホルダーの斜め鳥瞰図である。
防塵袋用ホルダー１は、中空円筒状の本体２と、本体２の外周軸方向中央部に環状に形成された係止用溝３と、本体２の底部から径方向外側に突出する突出部４を有している。本体２と突出部４とは、軽量樹脂、スポンジまたは発泡性組成物から一体に形成されているが、軽量で適度な剛性があれば他の材料で構成してもよい。
【００１９】
中空円筒状の本体２の中空部分５は、レジ袋１０を装着した際に内部を見るための視認窓として機能する。また、係止用溝３はレジ袋１０の持ち手部分１２を引っ掛けて係止するためのものである。さらに、本体２の底部から径方向外側に突出する突出部４は、図１に示すように左右１対設けられている。この突出部４は、レジ袋を装着して作業者が作業を行う際に、作業者の手の甲に載る部分であり、レジ袋を装着した防塵袋用ホルダー１を保持するために設けられている。なお、図１（Ａ）で示すように１対の突出部４は中空円筒状の本体２の一方側にのみ片寄せて設けているが、全体に設けた場合には、レジ袋を装着した際に袋の内部が暗くなるため、突出部４を設けていない個所を明り取りとして機能させるためである。なお、後述するように、１対の突出部４は略１２０°の角度をなすように、径方向外側に突出するように設けてもよい。
【００２０】
図３は、レジ袋を説明するための図である。図３（Ａ）はレジ袋を畳んだ状態で側面から見た図であり、図３（Ｂ）はレジ袋を広げて斜め上から見た図である。レジ袋１０は商品を入れる袋本体１１と、手提げで運べるように左右１対の持ち手部分１２と、袋本体１１に入れた商品が出ないように結ぶことができる１対の結び片１３を有している。レジ袋１０はポリエチレンなどのプラスチックフィルム材料からなり、柔らかくかつ丈夫に作られている。本実施形態に用いるレジ袋としては、透明あるいは半透明のものを用いることが好ましく、袋本体１１内で技工を行う際に外部から手元を明るく照らすことができる。
【００２１】
次に、本実施形態の防塵袋用ホルダー１の使用方法について説明する。図４および図５は、図１の防塵袋用ホルダーに図３のレジ袋を装着した、本発明の一実施形態に係る粉塵飛散防止具の図であり、図５では、使用者の手を併せて記載している。防塵袋用ホルダー１を使用して粉塵の飛散防止を行うに当たっては、まず、レジ袋１０の一方の持ち手部分１２を防塵袋用ホルダー１の本体２の外周軸方向中央部に形成した環状の係止用溝３に引っ掛ける。さらに、レジ袋１０の他方の持ち手部分１２を同じく環状の係止用溝３に引っ掛ける。なお、持ち手部分１２を環状の係止用溝３に引っ掛ける際は、図４に示すように、防塵袋用ホルダー１の突出部４の方向が結び片１３の方向に向くようにしておく。
【００２２】
レジ袋１０の持ち手部分１２が防塵袋用ホルダー１の係止用溝３に引っ掛かった状態で、レジ袋１０の一対の持ち手部分１２の間（結び片１３のある部分）には、矢印で示すように袋本体１１内に通じる空間が形成される。作業者は、この空間から袋本体１１内にモータや義歯を持った手を入れて技工作業を行う。その際、防塵袋用ホルダー１とレジ袋１０とを保持するために、防塵袋用ホルダー１に設けた突出部４を手の甲で支えることによって、レジ袋１０の袋本体１１内の作業空間を確保する。このため、突出部４は、通常、作業者側に位置するように防塵袋用ホルダー１を支えることが望ましい。
【００２３】
技工作業に当たっては、防塵袋用ホルダー１の中空円筒状の本体２の中空部分５から内部を視認することができる。また、レジ袋１０の持ち手部分１２が防塵袋用ホルダー１の本体２の外周部の環状の係止用溝３に引っ掛かっているため、レジ袋１０は防塵袋用ホルダー１に対して確実に装着され、技工作業中にレジ袋１０が防塵袋用ホルダー１の本体の外周部から抜ける虞はない。
【００２４】
そして、技工作業が終了すれば、レジ袋１０を防塵袋用ホルダー１から取り外し、切削屑が入ったレジ袋１０は必要に応じて封止した後、捨てることができる。また、防塵袋用ホルダー１は、次に使用するためにアルコール等で清掃しておくと良い。さらに、防塵袋用ホルダー１に切削屑等が付着するのを防ぐためには、予めラップフィルムを巻いた状態で使用し、使用後にラップフィルムを剥がすようにしてもよい。
【００２５】
（第２の実施形態）
図６は、本発明の他の実施形態に係る防塵袋用ホルダーの構成を示す図である。第１の実施形態では、防塵袋用ホルダー１の中空円筒状の本体２の中空部分５から内部を視認することが可能であるが、技工作業中に中空部分５から切削屑や粉塵が飛散する場合がある。これを防ぐために、第２の実施形態では、図６（Ａ）に示す防塵袋用ホルダー１０１のように中空円筒状の本体２の中空部分５の内部（中空円筒の内部）に、あるいは、図６（Ｂ）に示す防塵袋用ホルダー１０２のように中空円筒の頂部に、例えばプラスチックからなる透明板６を設けている。これにより、切削屑や粉塵が作業者の目に入る虞がなくなる。なお、透明板６に代えて、透明フィルムやガラス板を設けてもよい。
【００２６】
（第３の実施形態）
図７は、本発明のさらに他の実施形態に係る防塵袋用ホルダーの構成を示す図である。第３の実施形態では、図７（Ａ）に示す防塵袋用ホルダー１０３のように中空円筒状の本体２の中空部分５（中空円筒の内部）に、あるいは、図７（Ｂ）に示す防塵袋用ホルダー１０４のように中空円筒の頂部に、例えばプラスチックからなるレンズ７を設けている。これにより、技工作業中に中空部分５から切削屑や粉塵が飛散するのを防止するとともに、技工作業中の義歯やモータの拡大視を可能にしている。なお、レンズはガラス製であってもよいが、軽量化のためにはプラスチックが望ましい。
【００２７】
（第４の実施形態）
図８は、本発明のさらに他の実施形態に係る防塵袋用ホルダーの構成を示す図である。第４の実施形態では、防塵袋用ホルダー１０５は、中空円筒状の本体２１と、この本体２１の一方の端部である頂部に、本体２１よりも径の大きな大径部を有するリング状の第１部材２２が設けられており、本体２１の他方の端部である底部に、本体よりも径の大きな大径部を有するリング状部２３とこのリング状部２３から径方向外側に突出した２つの突出部２４とを有する第２部材２５が設けられている。
【００２８】
中空円筒状の本体２１は、例えば、軽量樹脂であるポリエチレンを用い、第１部材２２と第２部材２５には、耐薬品性や機械的強度に優れたポリエチレンの独立気泡構造のシートを用いることができるが、他の材料を用いてもよい。
【００２９】
第１部材２２と第２部材２５のリング状部２３のそれぞれの外径は、中空円筒状の本体２１の外径よりも大きな部分を有している。このため、中空円筒状の本体２１の外周部分は、第１部材２２と第２部材２５のリング状部２３に対して溝を形成することになり、レジ袋１０の持ち手部分１２を中空円筒状の本体２１の外周部に引っ掛けた際に、レジ袋１０が防塵袋用ホルダー１０５の本体２１の外周部から抜ける虞はない。また、２つの突出部２４がなす角度は略１２０°であり、レジ袋を装着した際に、レジ袋の中に手を入れた際に、一対の突出部４を親指と人差し指の付け根部分の手の甲で支持しやすい角度になっている。
【００３０】
なお、第４の実施形態においても、第２の実施形態あるいは第３の実施形態で示したように、本体２１の中空円筒の内部または防塵袋用ホルダー１０５の端面である第１部材２２の端面に透明フィルムまたは透明板、あるいはレンズを設けるようにしてもよいことは、勿論である。
【符号の説明】
【００３１】
１，１０１〜１０５…防塵袋用ホルダー、２、２１…本体、３…係止用溝、４，２４…突出部、５…中空部分、６…透明板、７…レンズ、１０…レジ袋、１１…袋本体、１２…持ち手部分、１３…結び片、２２…第１部材、２３…リング状部、２５…第２部材。
【図１】
2018011670.tif 000003
【図２】
2018011670.tif 000004
【図３】
2018011670.tif 000005
【図４】
2018011670.tif 000006
【図５】
2018011670.tif 000007
【図６】
2018011670.tif 000008
【図７】
2018011670.tif 000009
【図８】
2018011670.tif 000010